(57)【要約】【課題】快適に遠隔操作することができるデータ転送システム、遠隔操作装置及び電子機器、並びにデータ転送方法を提供する。【解決手段】遠隔操作装置１０は、遠隔操作信号を送信する遠隔操作信号送信モジュール１１と、遠隔操作信号の送信後又は送信中に上記メモリカード内のデータを、当該データが格納されたアドレスとともに送信するデータ送信モジュール１２とを備え、電子機器２０は、データ受信モジュール２２で受信されたメモリカード内のデータを、上記アドレスに対応付けて記憶媒体２４に記憶する。【選択図】  図１
2008171361.tif 000002
【特許請求の範囲】
【請求項１】
メモリカードが装着された遠隔操作装置から電子機器にメモリカード内のデータを転送するデータ転送システムであって、
上記遠隔操作装置は、
遠隔操作信号を送信する遠隔操作信号送信手段と、
上記遠隔操作信号の送信後又は送信中に上記メモリカード内のデータを、当該データが格納されたアドレスとともに送信する送信手段とを備え、
上記電子機器は、
上記遠隔操作信号を受信する遠隔操作信号受信手段と、
上記メモリカード内のデータとアドレスとを受信する受信手段と、
上記受信手段で受信されたメモリカード内のデータを、上記アドレスに対応付けて記憶する記憶手段とを備える
ことを特徴とするデータ転送システム。
【請求項２】
上記遠隔操作装置は、上記遠隔操作信号送信手段から上記アドレスを含む遠隔操作信号を送信し、上記メモリカード内のデータと上記記憶手段に記憶されたデータとの対応を管理することを特徴とする請求項１記載のデータ転送システム。
【請求項３】
上記送信手段は、上記データとアドレスとの組を複数組連結してバースト転送することを特徴とする請求項１記載のデータ転送システム。
【請求項４】
上記送信手段は、上記遠隔操作信号の送信毎に、上記メモリカード内のデータを分割した所定量のデータをバースト転送することを特徴とする請求項３記載のデータ転送システム。
【請求項５】
上記送信手段は、上記メモリカードのファイル管理領域及び実データ領域のデータを送信することを特徴とする請求項１記載のデータ転送システム。
【請求項６】
上記送信手段は、ミリ波帯又はマイクロ波帯を用いて上記メモリカード内のデータを送信することを特徴とする請求項１記載のデータ転送システム。
【請求項７】
上記電子機器は、上記メモリカード内のデータの転送完了を報知する報知手段を備えることを特徴とする請求項１記載のデータ転送システム。
【請求項８】
メモリカードが装着可能な遠隔操作装置であって、
遠隔操作信号を送信する遠隔操作信号送信手段と、
上記遠隔操作信号の送信後又は送信中に上記メモリカード内のデータを、当該データが格納されたアドレスとともに送信する送信手段と
を備えることを特徴とする遠隔操作装置。
【請求項９】
メモリカードが装着された遠隔操作装置によって操作される電子機器であって、
遠隔操作信号を受信する遠隔操作信号受信手段と、
上記メモリカード内のデータと、当該データが格納されたアドレスとを受信する受信手段と、
上記受信手段で受信されたメモリカード内のデータを、上記アドレスに対応付けて記憶する記憶手段と
を備えることを特徴とする電子機器。
【請求項１０】
メモリカードが装着された遠隔操作装置から電子機器にメモリカード内のデータを転送するデータ転送方法であって、
上記遠隔操作装置から遠隔操作信号を上記電子機器に送信した後又は送信中に、上記メモリカード内のデータを、当該データが格納されたアドレスとともに送信する送信ステップと、
上記送信ステップにて送信されたメモリカード内のデータを、上記アドレスに対応付けて記憶手段に記憶する記憶ステップと
を有することを特徴とするデータ転送方法。
【発明の詳細な説明】
【技術分野】
【０００１】
本発明は、電子機器と当該電子機器を操作する遠隔操作装置との間でデータの転送を行うデータ転送システム、遠隔操作装置及び電子機器、並びにデータ転送方法に関する。
【背景技術】
【０００２】
従来、テレビジョン装置、オーディオ装置等の電子機器にメモリカードを装着し、メモリカード内のコンテンツを楽しむことが行われている。例えば、リモートコントローラで切替・選択などのコントロールしながら画像データが入っているメモリカードをテレビジョン装置の物理的Ｉ／Ｆに抜き差しすることで、画像データを確認することができる。しかしながら、テレビジョン装置の画面が大きい場合、メモリカードを抜き差しして画像データを確認するのは距離が近すぎて大変見づらい。また、大画面のテレビジョン装置の場合、離れてコンテンツを楽しむため、テレビジョン装置までメモリカードを装着しにいくことはユーザにとって負担が大きい。
【０００３】
そこで、電子機器に付属されたリモートコントローラにメモリカードを装着し、無線によりメモリカード内のデータを電子機器に送信することが提案されている（例えば、特許文献１参照。）。
【０００４】
【特許文献１】特開２００５−３３３１６９号公報
【発明の開示】
【発明が解決しようとする課題】
【０００５】
しかしながら、例えば、メモリカード内の大容量のコンテンツデータをリモートコントローラから電子機器に送信し、電子機器でコンテンツを再生する場合、電子機器のメモリへの書き込み動作等のため、再生開始までに時間がかかっていた。
【０００６】
本発明は、このような従来の実情に鑑みて提案されたものであり、快適に遠隔操作することができるデータ転送システム、遠隔操作装置及び電子機器、並びにデータ転送方法を提供することを目的とする。
【課題を解決するための手段】
【０００７】
上述の課題を解決するために、本発明に係るデータ転送システムは、メモリカードが装着された遠隔操作装置から電子機器にメモリカード内のデータを転送するデータ転送システムであって、上記遠隔操作装置は、遠隔操作信号を送信する遠隔操作信号送信手段と、上記遠隔操作信号の送信後又は送信中に上記メモリカード内のデータを、当該データが格納されたアドレスとともに送信する送信手段とを備え、上記電子機器は、上記遠隔操作信号を受信する遠隔操作信号受信手段と、上記メモリカード内のデータとアドレスとを受信する受信手段と、上記受信手段で受信されたメモリカード内のデータを、上記アドレスに対応付けて記憶する記憶手段とを備えることを特徴としている。
【０００８】
また、本発明に係る遠隔操作装置は、メモリカードが装着可能な遠隔操作装置であって、遠隔操作信号を送信する遠隔操作信号送信手段と、上記遠隔操作信号の送信後又は送信中に上記メモリカード内のデータを、当該データが格納されたアドレスとともに送信する送信手段とを備えることを特徴としている。
【０００９】
また、本発明に係る電子機器は、メモリカードが装着された遠隔操作装置によって操作される電子機器であって、遠隔操作信号を受信する遠隔操作信号受信手段と、上記メモリカード内のデータと、当該データが格納されたアドレスとを受信する受信手段と上記受信手段で受信されたメモリカード内のデータを、上記アドレスに対応付けて記憶する記憶手段とを備えることを特徴としている。
【００１０】
また、本発明に係るデータ転送方法は、メモリカードが装着された遠隔操作装置から電子機器にメモリカード内のデータを転送するデータ転送方法であって、上記遠隔操作装置から遠隔操作信号を上記電子機器に送信した後又は送信中に、上記メモリカード内のデータを、当該データが格納されたアドレスとともに送信する送信ステップと、上記送信ステップにて送信されたメモリカード内のデータを、上記アドレスに対応付けて記憶手段に記憶する記憶ステップとを有することを特徴としている。
【発明の効果】
【００１１】
本発明によれば、遠隔操作装置に装着されたメモリカード内のデータが、当該データが格納されたアドレスに対応付けて電子機器の記憶手段に記憶されるため、遠隔操作装置からは、アドレスを含む遠隔操作信号を送信するだけで、遠隔操作が快適に行われる。
【発明を実施するための最良の形態】
【００１２】
以下、本発明を適用した具体的な実施の形態について、図面を参照しながら詳細に説明する。
【００１３】
図１は、本発明の実施の形態の一例の構成を概略的に示すブロック図である。この遠隔操作システムは、電子機器２０を遠隔操作するリモートコントローラ（以下、リモコンと呼ぶ。）等の遠隔操作装置１０と、テレビジョン装置等の電子機器２０とを備えて構成される。
【００１４】
遠隔操作装置１０は、遠隔操作信号を電子機器２０に送信する遠隔操作信号送信モジュール１１と、電子機器２０にデータを送信するデータ送信モジュール１２と、遠隔操作信号の制御コマンドやメモリカード１４に記憶された情報を管理する制御モジュール１３と、電子機器２０に送信するデータを記憶するメモリカード１４とを備えて構成されている。
【００１５】
遠隔操作送信モジュール１１は、電子機器２０に遠隔操作信号を送信する。遠隔操作信号は、例えば、赤外線のＯＮ／ＯＦＦパルス信号であって、その幅は、最大でも数百ｍｓｅｃ程度である。
【００１６】
データ送信モジュール１２は、電子機器２０にデータを送信する。このデータ送信モジュール１２は、遠隔操作モジュール１１から遠隔操作信号の送信後又は送信中に、データを送信する。
【００１７】
見通し範囲で直線性に優れ、室内においてはマルチパスの影響を受けにくい、ミリ波帯又はマイクロ波帯を用いてデータを送信することが好ましい。これにより、ユーザが遠隔操作装置１０を電子機器２０に向けた際、確実かつ高速にデータ転送を行うことができる。
【００１８】
また、通信方式として高速データ転送が可能なＵＷＢ（Ultra Wide Band）等や、ミリ波帯又はマイクロ波帯を用いて広帯域の高速のデータ伝送を行う際、変調方式としては、ＢＰＳＫ（Binary Phase Shift Keying）、ＱＰＳＫ（Quadrature Phase Shift Keying）等の一般的なデジタル変調方式を用いれば充分である。
【００１９】
また、データ送信モジュール１２は、メモリカード１４内のデータを送信する場合、データと当該データが格納されたアドレスとの組を複数組連結してバースト転送する。これにより、電子機器２０は、メモリカード１４のコピーを生成することができる。
【００２０】
制御モジュール１３は、電子機器２０の制御コマンドやメモリカード１３に記憶されたデータを管理する。例えば、データを電子機器２０に転送する際、インターフェース（図示せず。）を介してメモリカード１３から所望のデータを読み出し、データ送信モジュール１２に出力する。
【００２１】
メモリカード１４は、遠隔操作装置１０に着脱可能に装着される。また、メモリカード１４は、所定のファイルシステムにより読み出し／書き込みが制御される。
【００２２】
図２は、メモリカードの内部構成の一例を示す模式図である。メモリカード１４は、メモリコントローラ１４１と、不揮発性メモリ１４２とを備えて構成される。メモリコントローラ１４１は、制御モジュール１３からのコマンドにより、不揮発性メモリ１４２にアクセスする。不揮発性メモリ１４２は、ブート領域、ＦＡＴ領域、ディレクトリ領域等のファイル管理領域と、ファイルデータが格納される実データ領域とに論理区分されている。ブート領域は、メモリ空間全体に関わる情報が記憶され、例えば、メモリ容量やディレクトリ領域の先頭アドレスなどが記憶される。ＦＡＴ領域は、ファイルデータを構成するデータのアドレス配置情報が記憶される。ディレクトリ領域は、全ファイルのディレクトリ情報及びファイルを格納するデータの先頭アドレス情報を記憶する。実データ領域は、ファイルを構成するファイルデータをアドレス単位で記憶する。
【００２３】
このメモリカード１４からファイルを取得する際、制御モジュール１３は、ブート領域のデータを取得し、ディレクトリ領域のアドレスを取得する。そして、ディレクトリ領域から実データ領域上でファイルデータの先頭アドレスを取得し、ＦＡＴ領域からファイルデータのアドレス配置情報を取得する。これにより、制御モジュール１３は、順次ファイルデータを取得し、連結することで一連のファイルを得ることができる。
【００２４】
電子機器２０は、遠隔操作装置１０から送信された遠隔操作信号を受信する遠隔操作信号受信モジュール２１と、遠隔操作装置１０からのデータを受信するデータ受信モジュール２２と、記録媒体２４への記録を制御する制御モジュール２３と、遠隔操作装置１０からのデータを記憶する記憶媒体２４とを備えて構成されている。
【００２５】
遠隔操作信号受信モジュール２１は、遠隔操作装置１０から送信された遠隔操作信号を受信し、データ受信モジュール２２は、遠隔操作装置１０から送信されたデータを受信する。
【００２６】
制御モジュール２３は、当該データが格納されたアドレスとともに送信する送信ステップと、遠隔操作装置１０から送信されたメモリカード内のデータを、当該データが格納されたアドレスに対応付けて記憶手段に記憶させる。記憶手段２４は、メインメモリの一部又は専用メモリであり、データ受信モジュール２２にて受信したメモリカード１４のデータを、例えば、メモリカード１４と同一のアドレスに配置して記憶する。
【００２７】
このような遠隔操作システムによれば、遠隔操作装置１０に装着されたメモリカード１４のファイル管理領域及び実データ領域のデータが、電子機器２０の記憶手段２４にメモリカード１４のアドレスに対応付けて記憶されるため、アドレスを含む制御コマンドで指示するだけでデータ処理を行うことができる。すなわち、メモリカード１４の全データが記憶手段２４にコピーされるため、ファイルの選択の度にデータを送信する必要がない。
【００２８】
次に、本発明の具体的な適用例について説明する。図３は、遠隔操作信号として赤外線信号を送信するリモコン３０と、リモコン３０により遠隔操作されるテレビジョン装置４０とからなるリモートコントロールシステムを示すブロック図である。また、メモリカード１４のデータ転送の具体例として、マイクロ波帯又はミリ波帯を用いた無線転送について説明する。マイクロ波帯又はミリ波帯は、非常に周波数の高い電波であり、室内において赤外線に似た伝播特性を有する。すなわち、直進性が強く、障害物で遮断されやすい。このマイクロ波帯又はミリ波帯を使用する広帯域・高データレートの無線通信方式として、ＵＷＢ（Ultra Wide Band）を適用すれば、５００Ｍｂｐｓ〜２Ｍｂｐｓ程度の転送が可能である。
【００２９】
リモコン３０は、メモリカード３１を装着しており、赤外線の制御コマンドを送信する度に、メモリカード３１のデータ転送を行うことができる。
【００３０】
テレビジョン装置４０は、赤外線信号受光部４１と、赤外線信号受信部４２と、データ受信アンテナ４３と、データ通信部４４と、制御部４５と、記憶手段４６と、メモリカード４７とを備えている。また、テレビジョン装置４０は、一般的な構成である、アンテナ４８と、アナログチューナ４９と、デジタルチューナ５０と、復調器５１と、ディスプレイドライバ５２と、ディスプレイ５３とを備えている。
【００３１】
なお、このリモートコントロールシステムにおいて、リモコン３０は図１に示す遠隔操作装置１０に相当し、テレビジョン装置４０は電子機器２０に相当する。
【００３２】
遠隔操作信号受光部４１で受光された赤外線信号は、赤外線信号受信部４２にて制御コマンドとして生成され、制御部４５に入力される。また、データ受信アンテナ４３で受信されたデータは、データ通信部４４にて復調され、制御部４５に入力される。
【００３３】
制御部４５は、動画デコーダ、静止画デコーダ、ＧＵＩ（Graphical User Interface）ホストプロセッサ等からなる。動画デコーダは、復調器５１で復調された映像信号や記憶手段４６、メモリカード４７等からの映像信号をデジタル信号処理し、ディスプレイドライバ５２に出力する。また、静止画デコーダは、記憶手段４６、メモリカード４７等からの画像データをデジタル信号処理し、ディスプレイドライバ５２に出力する。ＧＵＩは、赤外線信号受信部４２からの制御コマンドに応じて、ＯＳＤ（On Screen Display）表示等を行う。ホストプロセッサは、データ通信部４４から取得したデータを記憶手段４６やメモリカード４７に記憶する。具体的な動作については後述する。
【００３４】
続いて、リモコン３０からテレビジョン装置４０へのデータ転送について説明する。リモコン３０からは、赤外線信号の制御コマンドがテレビジョン装置４０に送信される。赤外線信号の受光部４１は、一般にテレビジョン装置４０の前面に取り付けられているため、ユーザは、コントロールしようとするテレビジョン装置４０の正面にリモコン３０を向けた状態でコマンドを送る。この時、データ転送の空間的なパスが確立される。つまり、リモコン３０の位置や方向などがデータ転送可能な状態にある。
【００３５】
赤外線信号の送信及びデータ転送は、例えば、図４に示すようなタイミングで行われる。リモコン３０から送信される制御コマンドは、赤外線のＯＮ／ＯＦＦパルスであり、その幅は、非常に短く、最大でも８０ｍｓｅｃ程度である。この場合、ガードタイムをとって約１００ｍｓｅｃが赤外線信号の最大送信時間となる。ガードタイムとは、機器内の各ブロックが電源オンしてから安定するための時間や、各ブロックの動作が終了してからある程度時間をおいてオフさせたりするシステムの動作に余裕をもたせるための時間である。
【００３６】
また、テレビジョン装置４０での処理の都合上、制御コマンドの受信から、例えばチャンネルの切替表示等が遅れることや、ユーザがその次の制御コマンド送信する必要性から、リモコン３０がテレビジョン装置４０に長く向け続けられることとなる。また、ユーザは、リモコン３０とテレビジョン装置４０の間に障害物を置いてリモコン３０を使用することは考えにくく、人間などの障害物がリモコン３０とテレビジョン装置４０の間を通過した場合は、接続が確立しないことにも理解がある。これらを考慮してユーザがリモコン３０をテレビジョン装置４０に向けていられる許容時間を０.５秒とし、リモコン３０によるコントロールに引き続きデータ転送を行うとすると、差し引き４００ｍｓｅｃ程度がデータのバースト転送に許容できる時間となる。したがって、例えば、１６０Ｍｂｐｓの転送レートの場合、リモコン３０を操作する度に最大６４Ｍｂｉｔ（＝８ＭＢ）転送することができる。
【００３７】
また、リモコン３０からテレビジョン装置４０にメモリカード３１のデータを転送する際、リモコン３０側のメモリカード３１のメモリ空間と同じメモリ空間をテレビジョン装置４０側の記憶手段４６又はメモリカード４７に与える。すなわち、リモコン３０は、メモリカード３１からアドレスに対応したデータをリードし、アドレスとデータとの組を無線フレームに載せ、テレビジョン装置４０に送信する。
【００３８】
このとき無線機能は、フレームにエラー訂正符号を付加することで受信データの正当性を保証することや、例えば同一のフレームを繰り返し送信することで、フレームの欠落に対する保証を高めるなどのメディアアクセス制御(MAC)処理を行うことが好ましい。また、無線効率を高めるために、アドレスとデータの組を複数組連結して、フレーム上に載せてバースト転送することが好ましい。
【００３９】
一方、テレビジョン装置４０は、無線フレームからアドレスとデータの組を取得し、自身のメモリ空間にデータをライトする。全てのアドレスに対し、対応したデータをライトすることで、リモコン３０側とテレビジョン装置４０側とでメモリ空間上の全てのデータを同一にする。なお、リモコン３０から送信されたデータは、記憶手段４６に記憶しても、メモリカード４７に記憶しても構わない。
【００４０】
次に、リモートコントロールシステムの動作について図５及び図６に示す例を参照して説明する。ユーザがリモコン３０のメモリＩ／Ｆにメモリカード３１を挿入すると、リモコン３０のファイルシステムが、ブート領域、ＦＡＴ領域、ディレクトリ領域、及びファイル領域がある空間を認識する。
【００４１】
ユーザがリモコン３０の「リモコンメモリ選択ボタン」をオンすると、図５（Ａ）に示すように、赤外線信号の制御コマンドが送信され、テレビジョン装置４０には、例えば、メモリの一覧が表示される。このとき、制御コマンドに続いてマイクロ波帯又はミリ波帯の高速データレートにて、メモリカード３１内のアドレスに対するデータ（ブート領域、FAT領域、ディレクトリ領域、及びファイルデータ）が転送される。また、「リモコンメモリ選択ボタン」のオンにより、リモコン３０は、高速転送モードを認識する。
【００４２】
テレビジョン装置４０は、転送されたデータを記憶手段４６又はメモリカード４７にメモリカード３１と同一のアドレスに配置して記憶する。ここで、テレビジョン装置４０は、転送の終了確認、成功確認などを行うことが好ましい。例えば、図５（Ｂ）に示すテレビジョン装置４０の画面例のように、転送が完了した場合、リムーバブルディスクのアイコンを表示することが好ましい。
【００４３】
図５（Ｂ）に示すテレビジョン装置４０のメモリ選択画面において、「リモコン）リムーバブルディスク」のアイコンが表示される、すなわち、転送が完了すると、テレビジョン装置４０は、ファイルシステムによってメモリ空間にアクセスし、図５（Ｃ）に示すように、リムーバルディスク内のＪＰＥＧ（Joint Photographic Experts Group）画像ファイル等を一覧表示する。このとき、テレビジョン装置４０は、記憶手段４６又はメモリカード４７のディレクトリ領域を読み出している。また、リモコン３０も同様にディレクトリ領域を読み出している。
【００４４】
リモコン３０は、ユーザのボタン操作に応じて、メモリカード３１に記憶されたファイルデータを選択し、このファイルデータのアドレスを含む操作コマンドを赤外線信号としてテレビジョン装置４０に送信する。テレビジョン装置４０は、リモコン３０から送信されたアドレスに対応したファイルデータを認識し、図６（Ｄ）に示すように、選択表示等を行う。これにより、リモコン３０が選択したファイルデータと、テレビジョン装置４０が選択するファイルデータとを一致させることができる。
【００４５】
また、ＪＰＥＧ画像ファイルをテレビジョン装置４０に表示する場合、テレビジョン装置４０は、リモコン３０の「表示決定ボタン」がオンされることにより選択された、ファイルデータのアドレスを含む操作コマンドを受信することによって、それに対応するＪＰＥＧ画像ファイルデータを記憶手段４６又はメモリカード４７から読み出し、図６（Ｅ）に示すように、画面に表示する。
【００４６】
このように、リモコン３０に装着されたメモリカード３１のファイル管理領域及び実データ領域を含むデータをテレビジョン装置４０に予め転送することにより、赤外線信号の制御コマンドのみで、ファイルデータの選択、表示が可能となる。すなわち、テレビジョン装置４０があたかもリモコン３０のメモリカード３１に直接アクセスしているかのように、迅速にデータを利用することができる。
【００４７】
続いて、メモリデータ量が大きく、データ転送に長時間を要する場合のリモコンシステムの動作について、図７に示す例を参照して説明する。この例では、実際にアプリケーションデータとして使用されるデータのみを、リモコン３０からテレビジョン装置４０に対して選択的に転送する。すなわち、画面に一覧表示されるファイルデータのみを選択的に送信する。
【００４８】
図４で説明したように、例えば、１６０Ｍｂｐｓの転送レートの場合、リモコン３０を操作する度に最大６４Ｍｂｉｔ（＝８ＭＢ）転送することができる。仮に、メモリカード３１のデータ量が約３０MBの場合、１６０Ｍｂｐｓの転送レートで４回のリモコン操作が必要である。そこで、リモコン３０は、ファイルシステムによってメモリカード３１のデータ容量からバースト転送一回あたりの転送データ量を計算し、数回に分けて転送を行う。なお、ブート領域、ＦＡＴ領域、ディレクトリ領域は、ファイルデータに対してデータ量が非常に小さいので送信時間としては無視することができる。
【００４９】
図７は、データを選択的に転送する場合のリモコンシステムの動作例を示す模式図である。ユーザがリモコン３０の「リモコンメモリ選択ボタン」をオンすると、リモコン３０は、ファイルシステムによってメモリカード３１のデータ容量からバースト転送一回あたりの転送データ量を計算する。例えば、一回あたりの転送データ量を、画面に一覧表示するデータ量とする。これにより、リモコン３０は、テレビジョン装置４０に一覧表示されているファイルデータを把握することができる。
【００５０】
図７（Ａ）において、リモコン３０は、赤外線信号のリモコンメモリ選択コマンドを送信するとともに、メモリカード３１に記憶されたファイル管理領域のデータ及びＤＳＣ００００１〜ＤＳＣ００００５のデータを転送する。テレビジョン装置４０は、転送されたデータを、記憶手段４６又はメモリカード４７にメモリカード３１と同一のアドレスに配置して記憶する。そして、テレビジョン装置４０は、記憶手段４６又はメモリカード４７のディレクトリ領域を読み出し、ＤＳＣ００００１〜ＤＳＣ００００５のファイルデータを一覧表示する。
【００５１】
次に、リモコン３０のスクロール操作によって、次のファイルデータの一覧を表示する場合、図７（Ｂ）に示すように、リモコン３０は、スクロールコマンドの赤外線信号を送信するとともに、メモリカード３１に記憶されたＤＳＣ００００６〜ＤＳＣ０００１０のデータを転送する。そして、テレビジョン装置４０は、記憶手段４６又はメモリカード４７のディレクトリ領域を読み出し、ＤＳＣ００００６〜ＤＳＣ０００１０のファイルデータを一覧表示する。
【００５２】
また、図７（Ｃ）に示す動作は、図７（Ｂ）の動作と同様であり、リモコン３０のスクロール操作によってデータを転送し、テレビジョン装置４０にＤＳＣ０００１１〜ＤＳＣ０００１５のファイルデータを一覧表示する。また、一覧表示されているファイルデータを選択し、表示する動作は、図６（Ｄ）及び図６（Ｅ）の動作と同様である。
【００５３】
このように、メモリデータ量が大きく、一回のバースト転送ですべてのメモリデータを転送することができない場合でも、リモコン３０からスクロール等の赤外線信号を送信する度にデータを転送することにより、リモコン３０に装着されたメモリカード３１のすべてのデータをテレビジョン装置４０に転送することができる。
【００５４】
本発明によれば、ユーザがリモコン３０に装着されたメモリカード３１内のデータの利用を選択した段階で、メモリカード３１内のデータをテレビジョン装置４０の内部のバッファメモリ等に転送するため、リモコン３０とテレビジョン装置４０との間で双方向のメモリアクセスを必要としない。したがって、リモコン３０操作に対するレスポンスも良く、テレビジョン装置４０の物理的Ｉ／Ｆにメモリカード３１を挿入した場合と同じ感覚で操作することができる。また、ユーザがリモコン３０をテレビジョン装置４０に向けた状態でデータ転送が行われるため、無線系によるアクセスの失敗が少ない。さらに、無線系は片方向通信を適用することができるため、アクセス制御もなく非常に低価格でデータ転送を実現することができる。
【００５５】
以上、本発明を実施するための最良の形態について説明したが、本発明は上述した実施の形態のみに限定されるものではなく、本発明の要旨を逸脱しない範囲において種々の変更が可能であることは勿論である。例えば、上記実施の形態では、遠隔操作装置からの遠隔操作信号と共にデータを転送することとしたが、これに限られるものではなく、電子機器が遠隔操作装置からの遠隔操作信号に応じて無変調キャリア信号を送信し、遠隔操作装置は、無変調キャリア信号を受信し、変調して反射信号として転送するようにしてもよい。
【図面の簡単な説明】
【００５６】
【図１】本発明の実施の形態の一例の構成を概略的に示すブロック図である。
【図２】メモリカードの内部構成の一例を示す模式図である。
【図３】リモコンシステム具体例を示すブロック図である。
【図４】データ転送のタイミングを説明するための図である。
【図５】リモコンシステムの動作例を示す模式図である。
【図６】リモコンシステムの動作例を示す模式図である。
【図７】データを選択的に転送する場合のリモコンシステムの動作例を示す模式図である。
【符号の説明】
【００５７】
１０  遠隔操作装置、  １１  遠隔操作信号送信モジュール、  １２  データ送信モジュール、  １３  制御モジュール、  １４  メモリカード  ２０  電子機器、  ２１  遠隔操作信号受信モジュール、  ２２  データ受信モジュール、  ２３  制御モジュール、  ２４  記憶媒体
【図１】
2008171361.tif 000003
【図２】
2008171361.tif 000004
【図３】
2008171361.tif 000005
【図４】
2008171361.tif 000006
【図５】
2008171361.tif 000007
【図６】
2008171361.tif 000008
【図７】
2008171361.tif 000009